(57)【要約】【課題】ロックが外れ難いものであって、且つ容易に嵌めることができるロック構造を提供する。【解決手段】プロテクタ１のカバー２をプロテクタ本体３にロックさせるロック構造であって、カバー２から延出して立設形成された係止片２３２と係止片２３２の板厚方向に突出した係合突起２３３とを有するオスロック部２３と、プロテクタ本体３の側壁３３に形成され、且つ係止片２３２をガイドし、係合突起２３３を係止する係合部３４１を有するメスロック部３４と、を備え、側壁３３は、側壁３３の一部に形成され、係止片２３２の弾性変形による係止片２３２の変位を逃がす切欠部３３１、を有する。【選択図】図１
2020205732.tif 000002
【特許請求の範囲】
【請求項１】
プロテクタのカバーをプロテクタ本体にロックさせるロック構造であって、
前記カバーから延出して立設形成された係止片と該係止片の板厚方向に突出した係合突起とを有するオスロック部と、
前記プロテクタ本体の側壁に形成され、且つ前記係止片をガイドし、前記係合突起を係止する係合部を有するメスロック部と、
を備え、
前記側壁は、
当該側壁の一部に形成され、前記係止片の弾性変形による前記係止片の変位を逃がす切欠部、
を有する、
ことを特徴とするロック構造。
【請求項２】
前記カバーは、
前記係止片を前記係合部にガイドする際に前記係止片が傾倒する傾倒側に設けられ、前記弾性変形による前記係止片の倒れ込みを防止させる傾倒防止部、
を有する、
ことを特徴とする請求項１に記載のロック構造。
【請求項３】
前記傾倒防止部は、
前記カバーの縁に沿って形成され、前記切欠部よりも前記係合部の長手方向に沿って長い形状である、
ことを特徴とする請求項２に記載のロック構造。
【請求項４】
前記傾倒防止部の先端部は、
前記係止片が傾倒する傾倒側がテーパー面となっている、
ことを特徴とする請求項２に記載のロック構造。
【発明の詳細な説明】
【技術分野】
【０００１】
本開示は、ロック構造に関する。
【背景技術】
【０００２】
従来、自動車等のワイヤーハーネスを収容保持するプロテクタが各種提案されている（例えば、特許文献１〜特許文献８参照）。また、このようなプロテクタのうち、図７〜図９に示すように、カバー１２の一側縁がプロテクタ本体１３に連結され、カバー１２の他側縁に設けられたヒンジ１４を中心として開閉自在となるプロテクタ１１がある。プロテクタ本体１３は、底壁１３１と、底壁１３１の両側から立設された一対の側壁１３２，１３３とを有し、底壁１３１と側壁１３２，１３３とで、不図示のワイヤーハーネスを収容する断面Ｕ字形状の収容凹部を形成している。側壁１３３にはメスロック部１３４が設けられている。メスロック部１３４は、側壁１３３から立設した一対の係合支持部１３４２と、一対の係合支持部１３４２に支持されている係合部１３４１と、一対の係合支持部１３４２により挟み込まれた位置に設けられているストッパー１３４３とを有する。
【０００３】
カバー１２は、プロテクタ本体１３の上面開口を閉止するように板状に形成され、一側縁にオスロック部１２３が設けられている。オスロック部１２３は、カバー１２から延出して立設形成された係止片１２３２と、係止片１２３２の板厚方向に突出した係合突起１２３３とを有する。図７〜図９に示すように、従来においては、プロテクタ本体１３に設けられたメスロック部１３４の貫通孔１３３１にカバー１２に設けられたオスロック部１２３の係止片１２３２を挿入することで、カバー１２がプロテクタ本体１３にロックされるロック構造から構成されるものがある。このようなロック構造において、例えば、特許文献１〜特許文献８等に示すように、側壁１３２，１３３のうち係合部１３４１と対向する側壁１３３の箇所及び係止片１２３２の少なくとも一方に不図示のスリットを設けることでオスロック部１２３がメスロック部１３４に挿入可能に構成されるものがある。
【先行技術文献】
【特許文献】
【０００４】
【特許文献１】特開２００１−２１８３３４号公報
【特許文献２】特開２００６−１９７６５９号公報
【特許文献３】特開２０１４−１８３６１８号公報
【特許文献４】特開２０１１−１５１９３８号公報
【特許文献５】特開２０１１−０３６００５号公報
【特許文献６】特開２０１２−１６７７３６号公報
【特許文献７】特開平０８−２９６６２１号公報
【特許文献８】実開平０６−０６６２４２号公報
【発明の概要】
【発明が解決しようとする課題】
【０００５】
しかし、特許文献１〜特許文献８に記載のような従来技術では、カバー１２に設けられたオスロック部１２３の係止片１２３２をメスロック部１３４の貫通孔１３３１に挿入する際、係合突起１２３３が係合部１３４１に引っ掛かるため、作業性が悪い。また、不図示のスリットにより側壁１３２，１３３のうち係合部１３４１と対向する側壁１３３の箇所及び係止片１２３２の少なくとも一方を撓ませたとしても、メスロック部１３４の貫通孔１３３１にカバー１２に設けられたオスロック部１２３の係止片１２３２を挿入する際、作業者に硬い印象を与えてしまう。
【０００６】
よって、特許文献１〜特許文献８及び図７〜図９に記載のような従来技術では、カバー１２がプロテクタ本体１３にロックされるロック構造はロックが外れ難いものであるが、容易に嵌めることができるものではない。
【０００７】
本開示はこのような状況に鑑みてなされたものであり、ロックが外れ難いものであって、且つ容易に嵌めることができるようにするものである。
【課題を解決するための手段】
【０００８】
本開示の一側面であるロック構造は、プロテクタのカバーをプロテクタ本体にロックさせるロック構造であって、前記カバーから延出して立設形成された係止片と該係止片の板厚方向に突出した係合突起とを有するオスロック部と、前記プロテクタ本体の側壁に形成され、且つ前記係止片をガイドし、前記係合突起を係止する係合部を有するメスロック部と、を備え、前記側壁は、当該側壁の一部に形成され、前記係止片の弾性変形による前記係止片の変位を逃がす切欠部、を有する。
【発明の効果】
【０００９】
本開示の一側面によれば、ロックが外れ難いものであって、且つ容易に嵌めることができる。
【図面の簡単な説明】
【００１０】
【図１】本開示を適用した実施形態に係るプロテクタ１を示す斜視図である。
【図２】本開示を適用した実施形態に係るプロテクタ本体３を示す斜視図である。
【図３】図１のＡ−Ａ線に沿ったプロテクタ１のロック構造の断面図である。
【図４】図１のＡ−Ａ線に沿ったプロテクタ１のロック構造において、本開示を適用した実施形態に係る係止片２３２が傾倒した状態の断面図である。
【図５】本開示を適用した実施形態に係るプロテクタ本体５を示す斜視図である。
【図６】図１のＢ方向から見た係合支持部３４２と図５のＢ方向から見た係合支持部５４２とを比較した図である。
【図７】従来のプロテクタ１１を示す斜視図である。
【図８】従来のプロテクタ本体１３を示す斜視図である。
【図９】図７のＡ−Ａ線に沿ったプロテクタ１１のロック構造の断面図である。
【発明を実施するための形態】
【００１１】
以下、図面に基づいて本開示の実施形態を説明するが、本開示は以下の実施形態に限られるものではない。
【００１２】
図１は、本開示を適用した実施形態に係るプロテクタ１を示す斜視図である。図２は、本開示を適用した実施形態に係るプロテクタ本体３を示す斜視図である。図３は、図１のＡ−Ａ線に沿ったプロテクタ１のロック構造の断面図である。図４は、図１のＡ−Ａ線に沿ったプロテクタ１のロック構造において、本開示を適用した実施形態に係る係止片２３２が傾倒した状態の断面図である。次に、図１〜図４を用いて、プロテクタ１のカバー２がプロテクタ本体３にロックされるロック構造について説明する。
【００１３】
図１〜図４に示すように、プロテクタ１は、カバー２と、プロテクタ本体３とを備え、カバー２及びプロテクタ本体３が絶縁性の合成樹脂から構成されているものであって、カバー２の一側縁がプロテクタ本体３にヒンジ４によって開閉自在に連結されるものである。具体的には、カバー２は、プロテクタ本体３の上面開口を閉止するように板状に形成され、一側縁にオスロック部２３が設けられている。オスロック部２３は、カバー２から延出して立設形成された係止片２３２と、係止片２３２の板厚方向に突出した係合突起２３３とを有する。
【００１４】
一方、プロテクタ本体３は、底壁３１と、底壁３１の両側から立設された一対の側壁３２，３３とを有し、底壁３１と側壁３２，３３とで、不図示のワイヤーハーネスを収容する断面Ｕ字形状の収容凹部を形成している。側壁３３に設けられたメスロック部３４は、側壁３３から立設した一対の係合支持部３４２と、一対の係合支持部３４２に支持されている係合部３４１と、を有し、係合部３４１が、係止片２３２をガイドし、係合突起２３３を係止するものである。
【００１５】
つまり、プロテクタ１は、カバー２に設けられたオスロック部２３の係止片２３２をプロテクタ本体３に設けられたメスロック部３４に係合させることで、カバー２がプロテクタ本体３にロックされるロック構造から構成されている。このようなロック構造は、側壁３３の一部、具体的には、係合部３４１と対向する側壁３３の箇所に、係止片２３２の弾性変形による係止片２３２の変位を逃がす切欠部３３１が形成され、オスロック部１２３がメスロック部１３４に係合されるときに、係止片２３２の弾性変形による係止片２３２の変位が切欠部３３１で逃がされる構成となっている。
【００１６】
一方、カバー２には、係止片２３２を係合部３４１にガイドする際に係止片２３２が傾倒する傾倒側に、傾倒防止部２２が設けられている。傾倒防止部２２は、係止片２３２の弾性変形による係止片２３２の倒れ込みを防止させるものである。具体的には、傾倒防止部２２は、カバー２の縁に沿って形成され、切欠部３３１よりも係合部３４１の長手方向に沿って長い形状である。また、傾倒防止部２２は、係止片２３２から少なくとも係止片２３２と側壁３３との両方の板厚分だけ離れた位置にカバー２から立設形成されたものである。なお、傾倒防止部２２の先端部は、係止片２３２が傾倒する側がテーパー面２２１となっている。
【００１７】
次に、プロテクタ１のカバー２をプロテクタ本体３にロックするときのオスロック部２３及びメスロック部３４の詳細を説明する。まず、図１に示すように、オスロック部２３をメスロック部３４に係合するために、ヒンジ４を中心としてカバー２のオスロック部２３がメスロック部３４に向かって下方に押し込まれ、係合突起２３３の一部が係合部３４１の上端に当接し、さらに係合突起２３３を下方に押し込むことで、オスロック部２３の係止片２３２が係合突起２３３と共に係合部３４１の上方から下方に押し込まれる。すると、係合突起２３３の傾斜面２３３１の一部は、係合部３４１の角３４１１に当たり、係合部３４１のうち側壁３２と対向する対向面３４１２の一部に接しながら係合部３４１によりガイドされていくことで、係止片２３２が基部２３１を中心として切欠部３３１側に弾性変形し、傾倒防止部２２の先端部のテーパー面２２１側に傾いていく。さらにオスロック部２３がメスロック部３４に向かって下方に押し込まれると、図４に示すように係合突起２３３が係合部３４１を通過した後、係止片２３２が弾性復帰して、図３に示すように係止片２３２が係合部３４１に当接する。よって、図１に示すように、係合突起２３３が係合部３４１に係止されることにより、オスロック部２３がメスロック部３４と係合されて、プロテクタ本体３にカバー２が固定される。
【００１８】
なお、プロテクタ本体３にロックされたプロテクタ１のカバー２を解除するときは、係合突起２３３を切欠部３３１側に押し込むことにより、係止片２３２を基部２３１を中心として切欠部３３１側に弾性変形させてからカバー２をプロテクタ本体３の上方に持ち上げていけばよい。
【００１９】
次に、プロテクタ本体３の他の一例について説明する。図５は、本開示を適用した実施形態に係るプロテクタ本体５を示す斜視図である。プロテクタ本体５は、プロテクタ本体３と同様に、底壁５１と、底壁５１の両側から立設された一対の側壁５２，５３とを有し、底壁５１と側壁５２，５３とで、不図示のワイヤーハーネスを収容する断面Ｕ字形状の収容凹部を形成している。側壁５３に設けられたメスロック部５４は、側壁５３から立設した一対の係合支持部５４２と、一対の係合支持部５４２に支持されている係合部５４１と、を有し、係合部５４１が、図１の係止片２３２をガイドし、係合突起２３３を係止するものである。
【００２０】
次に、図１〜図４のメスロック部３４と、図５のメスロック部５４との相違点について説明する。なお、切欠部５３１は、切欠部３３１と同様の構成及び機能を有するので、その説明については省略する。図６は、図１のＢ方向から見た係合支持部３４２と図５のＢ方向から見た係合支持部５４２とを比較した図である。具体的には、図６（Ｍ）は、図１のＢ方向から見た係合支持部３４２の形状を示す。図６（Ｎ）は、図５のＢ方向から見た係合支持部５４２の形状を示す。係合支持部３４２は、四角形状である。一方、係合支持部５４２は、台形形状であって、末広がりとなる下底が側壁５３側となり、係合支持部３４２の一辺と同じ長さの上底が係合部５４１側となる。
【００２１】
よって、係合支持部５４２の面積は、係合支持部３４２の面積と比べ、ハッチングで示す分だけ大きいものであるため、係合支持部５４２は、係合支持部３４２と比べ、撓みにくいものとなっている。したがって、係合支持部５４２が支持する係合部５４１は、係合支持部３４２が支持する係合部３４１と比べ、外力が付与されたときの変位量が小さい。この結果、メスロック部５４でカバー２をロックする方が、メスロック部３４と比べ、カバー２は外れにくくなる。つまり、係合支持部５４２の剛性が、係合支持部３４２の剛性よりも大きいため、メスロック部５４を含めたプロテクタ本体５の全体の剛性は、メスロック部３４を含めたプロテクタ本体３の全体の剛性よりも大きくなる。したがって、カバー２は、プロテクタ本体５によりロックされた方が、プロテクタ本体３によりロックされるよりも外れにくい。なお、上記の一例では、係合支持部５４２が台形形状であるものについて説明したが、特にこれに限定されるものではなく、係合支持部３４２と比べ、面積が大きいものであればよい。例えば、係合支持部３４２を下方に延伸した長方形形状のものであってもよく、係合支持部３４２よりも面積の大きい自由曲面形状のものであってもよい。
【００２２】
以上の説明から、本実施形態に係るロック構造は、プロテクタ１のカバー２をプロテクタ本体３にロックさせるロック構造であって、カバー２から延出して立設形成された係止片２３２と係止片２３２の板厚方向に突出した係合突起２３３とを有するオスロック部２３と、プロテクタ本体３の側壁３３に形成され、且つ係止片２３２をガイドし、係合突起２３３を係止する係合部３４１を有するメスロック部３４と、を備え、側壁３３は、側壁３３の一部に形成され、係止片２３２の弾性変形による係止片２３２の変位を逃がす切欠部３３１、を有する。よって、係止片２３２の板厚方向に突出した係合突起２３３は係合部３４１で係止されるものであって、係止片２３２は弾性変形したとしても切欠部３３１側に逃がすことができるものである。したがって、ロックが外れ難いものであって、且つ容易に嵌めることができる。
【００２３】
また、本実施形態においては、カバー２は、係止片２３２を係合部３４１にガイドする際に係止片２３２が傾倒する傾倒側に設けられ、弾性変形による係止片２３２の倒れ込みを防止させる傾倒防止部２２、を有する。よって、係合突起２３３が係合部３４１に係止してから係止片２３２を切欠部３３１側に傾倒させたとしても傾倒防止部２２により傾倒範囲が限定される。したがって、容易にロックが外れない構造を提供することができる。
【００２４】
また、本実施形態においては、傾倒防止部２２は、カバー２の縁に沿って形成され、切欠部３３１よりも係合部３４１の長手方向に沿って長い形状である。よって、傾倒防止部２２は、補強リブとしても機能させることができる。したがって、カバー２の強度を向上させることができる。
【００２５】
また、本実施形態においては、傾倒防止部２２の先端部は、係止片２３２が傾倒する傾倒側がテーパー面２２１となっている。よって、カバー２がプロテクタ本体３にロックされる際に係止片２３２が傾倒したとしても傾倒防止部２２の先端部にぶつからないため、カバー２をプロテクタ本体３に押し込みやすくすることができる。
【００２６】
また、本実施形態においては、傾倒防止部２２は、係止片２３２から少なくとも係止片２３２と側壁３３との両方の板厚分だけ離れた位置にカバー２から立設形成されたものである。よって、傾倒防止部２２が係止片２３２から離れたことにより、係止片２３２の傾倒により基部２３１が撓んだとしても、基部２３１に係る曲げ応力が分散されるため、係止片２３２が基部２３１から破断することを防止することができる。
【００２７】
以上、本開示を適用したプロテクタ１のカバー２をプロテクタ本体３にロックされるロック構造を実施形態に基づいて説明したが、本開示はこれに限定されるものではなく、本開示の趣旨を逸脱しない範囲で、変更を加えてもよい。
【００２８】
例えば、本実施形態においては、カバー２の一側縁がプロテクタ本体３に連結され、カバー２の他側縁に設けられたヒンジ４を中心として開閉自在となるプロテクタ１について説明したが、特にこれに限定されない。例えば、カバー２の他側縁であって、且つオスロック部２３と対向する位置にもオスロック部２３をさらに設け、側壁３３に設けられたメスロック部３４と対向する側壁３２の箇所にもメスロック部３４をさらに設けることにより、一対のメスロック部３４と、一対のオスロック部２３とが係合することで、カバー２をプロテクタ本体３にロックさせる構成であってもよい。
【符号の説明】
【００２９】
１，１１  プロテクタ
２，１２  カバー、２２  傾倒防止部、２２１  テーパー面
２３，１２３  オスロック部、２３１  基部、２３２，１２３２  係止片
２３３，１２３３  係合突起
２３３１  傾斜面、２３３２  先端面、２３３３  返し部
３，５，１３  プロテクタ本体、３１，５１，１３１  底壁、３２，３３，５２，５３，１３２，１３３  側壁
３３１，５３１  切欠部、  １３３１  貫通孔
３４，５４，１３４  メスロック部、３４１，５４１，１３４１  係合部
３４１１  角、３４１２  対向面、３４１３  下端面
３４２，５４２，１３４２  係合支持部、１３４３  ストッパー
４，１４  ヒンジ
【図１】
2020205732.tif 000003
【図２】
2020205732.tif 000004
【図３】
2020205732.tif 000005
【図４】
2020205732.tif 000006
【図５】
2020205732.tif 000007
【図６】
2020205732.tif 000008
【図７】
2020205732.tif 000009
【図８】
2020205732.tif 000010
【図９】
2020205732.tif 000011